(57)【要約】【課題】  情報収集システムにおいてインターネット接続も可能とし、インターネットへのアクセスデータのトラフィック量に関係なく、欠落無しに情報収集サーバに電力使用量等のデータを送信する情報収集システムを得る。【解決手段】  計量メータ５１、５２が接続された情報収集通信端末４１、４２とインターネット６にアクセスする情報端末８１、８２とがＥＰＯＮに接続され、このＥＰＯＮにはＥＰＯＮ基地局３を介してインターネット６及びイントラネット２１が接続され、イントラネット２１には計量メータ５１、５２のデータを収集する情報収集サーバ１が接続された構成で、ＥＰＯＮ基地局３は、情報収集通信端末４１、４２のデータと情報端末８１、８２のデータを区分するＶＬＡＮ−ＩＤを定義したＶＬＡＮ定義テーブル部３０４を有し、ＶＬＡＮ−ＩＤに応じて、帯域制御処理部３０５により確保された伝送帯域により送信する。【選択図】図１
2006211113.tif 000002
【特許請求の範囲】
【請求項１】
計量メータが接続される情報収集通信端末と、インターネットに接続された装置との間でデータの送受信を行う情報端末と、イントラネットに接続され前記情報収集通信端末から送信された前記計量メータのデータを収集する情報収集サーバと、前記情報収集通信端末と前記情報収集サーバの間と前記情報端末とインターネットに接続された装置の間でデータを中継する、インターネット及びイントラネットに接続された基地局と、前記基地局と前記情報収集通信端末の間と前記基地局と前記情報端末の間とで異なる通信帯域を割り当てて通信するＶＬＡＮアクセス回線とを備え、前期基地局が、前記ＶＬＡＮアクセス回線を介して前記情報収集端末との間で送受信されるデータ及び前記情報端末との間で送受信されるデータを区分するＶＬＡＮ定義部と、前記ＶＬＡＮ定義部を参照して使用する前記ＶＬＡＮアクセス回線の通信帯域をデータの区分に応じて制御する帯域制御処理部とを有することを特徴とする情報収集システム。
【請求項２】
計量メータが接続される情報収集通信端末と、インターネットに接続された装置との間でデータの送受信を行う情報端末と、イントラネットに接続され前記情報収集通信端末から送信された前記計量メータのデータを収集する情報収集サーバと、前記情報収集通信端末と前記情報収集サーバの間と前記情報端末とインターネットに接続された装置の間でデータを中継する、インターネット及びイントラネットに接続された基地局と、前記基地局と前記情報収集通信端末の間及び前記基地局と前記情報端末の間での通信に使用するＶＬＡＮアクセス回線とを備え、前期基地局が、前記ＶＬＡＮアクセス回線を介して前記情報収集通信端末との間で送受信されるデータ及び前記情報端末との間で送受信されるデータを区分するＶＬＡＮ定義部と、前記ＶＬＡＮ定義部を参照して前記情報収集通信端末との間で送受信されるデータを優先して処理する優先制御処理部とを有することを特徴とする情報収集システム。
【請求項３】
前記ＶＬＡＮアクセス回線は、ＥＰＯＮ方式による１：Ｎのスター型ネットワークを用いることを特徴とする請求項１または請求項２に記載の情報収集システム。
【請求項４】
前記ＶＬＡＮアクセス回線は、無線方式による１：Ｎのスター型ネットワークを用いることを特徴とする請求項１または請求項２に記載の情報収集システム。
【請求項５】
計量メータが接続される情報収集通信端末と前記計量メータのデータを収集するイントラネットに接続された情報収集サーバとの間で送受信されるデータと、インターネットに接続された装置と情報端末の間で送受信されるデータを中継する情報収集システムの基地局であって、前記情報収集通信端末及び前記情報端末との間のデータの送受信にはそれぞれ異なる通信帯域を割り当ててＶＬＡＮアクセス回線を使用し、前記ＶＬＡＮアクセス回線を介して前記情報収集通信端末との間で送受信されるデータ及び前記情報端末との間で送受信されるデータを区分するＶＬＡＮ定義部と、前記ＶＬＡＮ定義部を参照してデータの送受信に使用する前記ＶＬＡＮアクセス回線の通信帯域をデータの区分に応じて制御する帯域制御処理部とを備えたことを特徴とする情報収集システムの基地局。
【請求項６】
計量メータが接続される情報収集通信端末と前記計量メータのデータを収集するイントラネットに接続された情報収集サーバとの間で送受信されるデータと、インターネットに接続された装置と情報端末の間で送受信されるデータとを中継する情報収集システムの基地局であって、前記情報収集通信端末及び前記情報端末との間のデータの送受信にはＶＬＡＮアクセス回線を使用し、前記ＶＬＡＮアクセス回線を介して前記情報収集通信端末との間で送受信されるデータ及び前記情報端末との間で送受信されるデータを区分するＶＬＡＮ定義部と、前記ＶＬＡＮ定義部を参照して前記情報収集通信端末との間で送受信されるデータを優先して処理する優先制御処理部とを備えたことを特徴とする情報収集システムの基地局。
【発明の詳細な説明】
【技術分野】
【０００１】
この発明は、電力等の使用量などの計量メータの情報を、ネットワークを介して複数需要家から収集する情報収集システム及びこれに用いられる基地局に関するものである。
【背景技術】
【０００２】
従来の情報収集システムでは、アクセス回線であるイントラネットに複数の需要家の情報収集通信端末を設置して、この情報収集通信端末を介して電力使用量等のデータの送信を行うようにしている。すなわち、この情報収集システムでは、アクセス回線にイントラネットを使用しており、複数の需要家から送信される電力使用量等のデータをこのアクセス回線を介して情報収集サーバへ送信する。
【０００３】
イントラネットは、企業内ネットワークなどの閉域ネットワークであり、計量メータの値などの電力使用量等のデータを情報収集サーバに送信する情報収集通信端末は、このイントラネットに接続されている。
情報収集システムでは、情報収集サーバがポーリング方式等で情報収集通信端末から計量メータなどの電力使用量等のデータを、イントラネットを介して収集する。
【０００４】
特許文献１には、検針メータに接続された情報端末装置から検針メータのデータを、イントラネット及びスイッチングハブを介して、イントラネットに接続された検針ホストに伝送すると共に、情報端末装置に接続された通信端末からのデータをスイッチングハブにより、インターネットに出力するようにし、さらにスイッチングハブのインターネット側に配置されたファイアウォールによりインターネットに接続されたコンピュータと通信端末との通信量を制限して、検針データの通信帯域を確実に割り当てるようにした情報収集システムが、示されている。
【０００５】
【特許文献１】特開２００２−３２５１４４号公報（第４〜７頁、図１）
【発明の開示】
【発明が解決しようとする課題】
【０００６】
特許文献１の情報収集システムでは、情報端末装置から検針メータのデータと、通信端末からのデータをスイッチングハブによって分け、スイッチングハブのインターネット側に配置されたファイアウォールによりインターネットに接続されたコンピュータと通信端末との通信量を制限して、検針データの通信帯域を割り当てるようにしたものとはいえ、この通信量の制限は、ネットワークからのアクセス数を制限する処理であり、検針ホストで収集する検針データを優先処理するものではなかった。
【０００７】
この発明は、上述のような課題を解決するためになされたものであり、情報収集システムにおいてインターネット接続も可能とし、インターネットへのアクセスデータのトラフィック量に関係なく、欠落無しに情報収集サーバに電力使用量等のデータを送信する情報収集システム及びこれに用いられる基地局を得ることを目的とする。
【課題を解決するための手段】
【０００８】
この発明に係わる情報収集システムにおいては、計量メータが接続される情報収集通信端末と、インターネットに接続された装置との間でデータの送受信を行う情報端末と、イントラネットに接続され情報収集通信端末から送信された計量メータのデータを収集する情報収集サーバと、情報収集通信端末と情報収集サーバの間と情報端末とインターネットに接続された装置の間でデータを中継する、インターネット及びイントラネットに接続された基地局と、基地局と情報収集通信端末の間と基地局と情報端末の間とで異なる通信帯域を割り当てて通信するＶＬＡＮアクセス回線とを備え、前期基地局が、ＶＬＡＮアクセス回線を介して情報収集端末との間で送受信されるデータ及び情報端末との間で送受信されるデータを区分するＶＬＡＮ定義部と、ＶＬＡＮ定義部を参照して使用するＶＬＡＮアクセス回線の通信帯域をデータの区分に応じて制御する帯域制御処理部とを有するものである。
【発明の効果】
【０００９】
この発明は、以上説明したように、計量メータが接続される情報収集通信端末と、インターネットに接続された装置との間でデータの送受信を行う情報端末と、イントラネットに接続され情報収集通信端末から送信された計量メータのデータを収集する情報収集サーバと、情報収集通信端末と情報収集サーバの間と情報端末とインターネットに接続された装置の間でデータを中継する、インターネット及びイントラネットに接続された基地局と、基地局と情報収集通信端末の間と基地局と情報端末の間とで異なる通信帯域を割り当てて通信するＶＬＡＮアクセス回線とを備え、前期基地局が、ＶＬＡＮアクセス回線を介して情報収集端末との間で送受信されるデータ及び情報端末との間で送受信されるデータを区分するＶＬＡＮ定義部と、ＶＬＡＮ定義部を参照して使用するＶＬＡＮアクセス回線の通信帯域をデータの区分に応じて制御する帯域制御処理部とを有するので、一般インターネットユーザがインターネットに接続するアクセス回線と、計量メータからの情報収集のためのアクセス回線とを共有すると共に、計量メータのデータが必要とする伝送帯域を確保して、インターネットアクセスデータのトラフィック量に関係なく、データの欠落無しに情報収集サーバに計量メータのデータを送信することができる。
【発明を実施するための最良の形態】
【００１０】
実施の形態１．
図１は、この発明の実施の形態１による情報収集システムの構成を示すブロック図である。
図１において、情報収集サーバ１は、情報収集通信端末４１、４２から電力使用量等のデータを収集する。イントラネット２１は、企業内ネットワークなどの閉域ネットワークであり、このイントラネット２１を介して、情報収集サーバ１とＥＰＯＮ（Ｅｔｈｅｒｎｅｔ(登録商標)  Ｐａｓｓｉｖｅ  Ｏｐｔｉｃａｌ  Ｎｅｔｗｏｒｋ）基地局３（基地局）とが接続されている。ＥＰＯＮ基地局３は、ＶＬＡＮ（Ｖｉｒｔｕａｌ  Ｌｏｃａｌ  Ａｒｅａ  Ｎｅｔｗｏｒｋ：物理的な接続形態とは独立に、端末の仮想的なグループを設定するＬＡＮ）機能及び帯域制御機能及び優先制御機能を有し、かつＥＰＯＮ方式による１：Ｎのスター型ネットワーク（ＶＬＡＮアクセス回線）にて、複数の情報収集通信端末との間の通信インターフェースを一括収容する。このＥＰＯＮ基地局３は、インターネット６にも接続されている。
情報収集通信端末４１、４２は、ＥＰＯＮ回線に接続され、ＥＰＯＮ端末局機能を搭載し、情報収集サーバ１からの要求電文を受信すると、計量メータ５１、５２から電力使用量等のデータを収集して、情報収集サーバ１に向けてそのデータを送信する。
ＥＰＯＮ端末局７１、７２は、ＥＰＯＮ回線に接続され、光信号と電気信号を変換し、ＥＰＯＮ回線終端機能を担う。パーソナルコンピュータなどの情報端末８１、８２は、ＥＰＯＮ端末局７１、７２に接続され、インターネット６にアクセスするなどの目的で、一般インターネットユーザ宅に設置される。情報収集通信端末４１、４２へのＥＰＯＮ回線と、ＥＰＯＮ端末局７１、７２へのＥＰＯＮ回線は別グループとして管理するｔａｇＶＬＡＮ機能を、ＥＰＯＮ基地局３は有するものとする。
【００１１】
要求電文１１は、情報収集サーバ１から計量メータ５１、５２に向けて送信される。応答電文１２は、計量メータ５１、５２から情報収集サーバ１に向けて送信される。インターネット送信データ１３は、情報端末８１、８２からインターネット６に向けて送信される。インターネット受信データ１４は、インターネット６から情報端末８１、８２に向けて送信される。
ＶＬＡＮ−ＩＤ付要求電文１５は、ＥＰＯＮ基地局３内において要求電文１１にＶＬＡＮのＩＤを挿入したものである。ＶＬＡＮ−ＩＤ付応答電文１６は、ＥＰＯＮ基地局３内において応答電文１２にＶＬＡＮのＩＤを挿入したものである。
ＶＬＡＮ−ＩＤ付インターネット送信データ１７は、ＥＰＯＮ基地局３内においてインターネット送信データ１３にＶＬＡＮのＩＤを挿入したもの、ＶＬＡＮ−ＩＤ付インターネット受信データ１８は、ＥＰＯＮ基地局３内においてインターネット受信データ１４にＶＬＡＮのＩＤを挿入したものである。
【００１２】
次に、ＥＰＯＮ基地局３の構成について説明する。
ＶＬＡＮ−ＩＤ挿入削除部（上位イントラネット側）３０１は、要求電文１１にＶＬＡＮ−ＩＤを挿入するとともに、ＶＬＡＮ−ＩＤ付応答電文１６からＶＬＡＮ−ＩＤを削除する。ＶＬＡＮ−ＩＤ挿入削除部（上位インターネット側）３０２は、インターネット受信データ１４にＶＬＡＮ−ＩＤを挿入するとともに、ＶＬＡＮ−ＩＤ付インターネット送信データ１７からＶＬＡＮ−ＩＤを削除する。
ＶＬＡＮ−ＩＤ挿入削除部（下位側）３０３は、応答電文１２もしくはインターネット送信データ１３にＶＬＡＮ−ＩＤを挿入するとともに、ＶＬＡＮ−ＩＤ付要求電文１５及びＶＬＡＮ−ＩＤ付インターネット受信データ１８からＶＬＡＮ−ＩＤを削除する。
ＶＬＡＮ定義テーブル部３０４（ＶＬＡＮ定義部）は、図２に示されるように、ＶＬＡＮ−ＩＤ挿入削除部（上位イントラネット側）３０１及びＶＬＡＮ−ＩＤ挿入削除部（上位インターネット側）３０２及びＶＬＡＮ−ＩＤ挿入削除部（下位側）３０３が、ＶＬＡＮ−ＩＤを割り付ける際に参照する、データ種別に対して割り付けるＶＬＡＮのＩＤ値や優先度値を定義するテーブルを格納している。
帯域制御処理部３０５は、帯域制御機能を有し、かつ宛先アドレス情報やＶＬＡＮのＩＤ等から送信先を特定する。具体的には、情報収集通信端末４１、４２との間の送受信と、ＥＰＯＮ端末局７１、７２との間の送受信には別の帯域を使用するように制御する。
【００１３】
次に、情報収集通信端末の構成について説明する。
ＥＰＯＮ端末局部４１１は、光信号と電気信号を変換し、ＥＰＯＮ回線終端機能を担う。メータインタフェース部４１２は、計測メータ５１、５２とインタフェースする。ＥＰＯＮ対応データ処理部４１３は、ＥＰＯＮ側データフォーマットとメータ側データフォーマットの相互変換を行う。
【００１４】
図２は、この発明の実施の形態１による情報収集システムで記載のＶＬＡＮ定義テーブル部の定義内容例を示す図である。
図２において、データ種別毎のＶＬＡＮ−ＩＤのＩＤ値とその優先度を格納している。
図３は、この発明の実施の形態１による情報収集システムのデータフレーム構成を示す図であり、図３（ａ）は、データ１５、１６のデータフレームを示し、図３（ｂ）は、データ１７、１８のデータフレームを示す図である。いずれも、ＶＬＡＮ−ＩＤ、送信元アドレス、宛先アドレス、データを含み、図３（ａ）では、ＶＬＡＮ−ＩＤが２、図３（ｂ）では、ＶＬＡＮ−ＩＤが３になっている。
【００１５】
次に、動作について説明する。
情報収集サーバ１が、電力使用量等のデータを要求する要求電文１１をイントラネット２１を介して、ＥＰＯＮ基地局３にポーリング方式等で送信する。ＥＰＯＮ基地局３では、受信したデータが情報収集サーバ１からの要求電文１１である場合、ＶＬＡＮ−ＩＤ挿入削除部（上位イントラネット側）３０１がＶＬＡＮ定義テーブル部３０４の定義内容を参照し、図３のように、要求電文１１にＶＬＡＮのＩＤ（図２の例ではＩＤ値＝「２」、優先度＝「高」）を割り付けて、ＶＬＡＮ−ＩＤ付要求電文１５に変換し、帯域制御処理部３０５に送信する。
帯域制御処理部３０５では、ＶＬＡＮ−ＩＤ付要求電文１５内の宛先アドレス情報とＶＬＡＮのＩＤから送信先の情報収集通信端末を特定し、ＶＬＡＮ−ＩＤ挿入削除部（下位側）３０３を介して情報収集通信端末４１または情報収集通信端末４２へ基地局経由要求電文１１１を送信する。このとき、帯域制御処理部３０５では、ＶＬＡＮのＩＤが「２」であるので、情報収集通信端末４１、４２向けのデータであると判断し、かつ宛先アドレス情報から複数の情報収集通信端末の中から特定の情報収集通信端末を選定する。
そして、ＶＬＡＮ−ＩＤ挿入削除部（下位側）３０３では、ＶＬＡＮ−ＩＤ付要求電文１５からＶＬＡＮのＩＤを取り外して、基地局経由要求電文１１１に変換し、情報収集通信端末４１または情報収集通信端末４２へ送信する。
【００１６】
情報収集通信端末４１、４２内では、ＥＰＯＮ端末局部４１１がＥＰＯＮ回線からデータを受信し、データ処理部４１３で、基地局経由要求電文１１１をフォーマット変換して、メータインタフェース部４１２から計量メータ５１、５２へ送信する。
【００１７】
計量メータ５１、５２は、電力使用量等のデータを情報収集通信端末４１、４２に返信する。情報収集通信端末４１、４２内では、メータインタフェース部４１２が計量メータ５１、５２からのデータを受信し、データ処理部４１３で、受信したデータをフォーマット変換して、ＥＰＯＮ端末局部４１１から、応答電文１２をＥＰＯＮ基地局３に返信する。
【００１８】
ＥＰＯＮ基地局３では、受信したデータが情報収集通信端末４１、４２からの応答電文１２である場合、ＶＬＡＮ−ＩＤ挿入削除部（下位側）３０３がＶＬＡＮ定義テーブル部３０４の定義内容を参照し、応答電文１２にＶＬＡＮのＩＤ（図２の例ではＩＤ値＝「２」、優先度＝「高」）を割り付けて、ＶＬＡＮ−ＩＤ付応答電文１６に変換し、帯域制御処理部３０５に送信する。
帯域制御処理部３０５では、ＶＬＡＮ−ＩＤ付応答電文１６内の宛先アドレス情報とＶＬＡＮのＩＤから送信先を特定し、ＶＬＡＮ−ＩＤ挿入削除部（上位イントラネット側）３０１及びイントラネット２１を介して、情報収集サーバ１へ基地局経由応答電文１２１を送信する。このとき、ＶＬＡＮ−ＩＤ挿入削除部（上位イントラネット側）３０１は、ＶＬＡＮ−ＩＤ付応答電文１６からＶＬＡＮのＩＤを取り外し、基地局経由応答電文１２１に変換する。
【００１９】
一般インターネットユーザは、情報端末８１、８２から回線終端装置であるＥＰＯＮ端末局７１、７２を介して、ＥＰＯＮ基地局３にインターネットアクセス用のインターネット送信データ１３を送信する。ＥＰＯＮ基地局３では、受信したデータが情報端末８１、８２からのインターネット送信データ１３である場合、ＶＬＡＮ−ＩＤ挿入削除部（下位側）３０３がＶＬＡＮ定義テーブル部３０４の定義内容を参照し、インターネット送信データ１３にＶＬＡＮのＩＤ（図２の例ではＩＤ値＝「３」、優先度＝「低」）を割り付けて、ＶＬＡＮ−ＩＤ付インターネット送信データ１７に変換し、帯域制御処理部３０５に送信する。
帯域制御処理部３０５では、ＶＬＡＮ−ＩＤ付インターネット送信データ１７内の宛先アドレス情報とＶＬＡＮのＩＤから送信先を特定し、ＶＬＡＮ−ＩＤ挿入削除部（上位インターネット側）３０２を介して、インターネット６へ基地局経由インターネット送信データ１３１を送信する。このとき、ＶＬＡＮ−ＩＤ挿入削除部（上位インターネット側）３０２は、ＶＬＡＮ−ＩＤ付インターネット送信データ１７からＶＬＡＮのＩＤを取り外し、基地局経由インターネット送信データ１３１に変換する。
【００２０】
インターネット６からの下りデータであるインターネット受信データ１４をＥＰＯＮ基地局３が受信した場合、ＥＰＯＮ基地局３では、受信したデータがインターネット６側から受信したインターネット送信データ１４である場合、ＶＬＡＮ−ＩＤ挿入削除部（上位インターネット側）３０２がＶＬＡＮ定義テーブル部３０４の定義内容を参照し、インターネット受信データ１４にＶＬＡＮのＩＤ（図２の例ではＩＤ値＝「３」、優先度＝「低」）を割り付けて、ＶＬＡＮ−ＩＤ付インターネット受信データ１８に変換し、帯域制御処理部３０５に送信する。
帯域制御処理部３０５では、ＶＬＡＮ−ＩＤ付インターネット受信データ１８内の宛先アドレス情報とＶＬＡＮのＩＤから送信先の情報端末を特定し、ＶＬＡＮ−ＩＤ挿入削除部（下位側）３０３を介して、情報端末８１または情報端末８２へ基地局経由インターネット受信データ１４１を送信する。このとき、帯域制御処理部３０５では、ＶＬＡＮのＩＤが「３」であるので、情報端末８１、８２向けのデータであると判断し、かつ宛先アドレス情報から複数の情報端末の中から特定の情報端末を選定する。
そして、ＶＬＡＮ−ＩＤ挿入削除部（下位側）３０３では、ＶＬＡＮ−ＩＤ付インターネット受信データ１８からＶＬＡＮのＩＤを取り外して、基地局経由インターネット受信データ１４１に変換し、情報端末８１または情報端末８２へ送信する。
【００２１】
帯域制御処理部３０５では、帯域制御機能を実装し、ＶＬＡＮ−ＩＤ付要求電文１５及びＶＬＡＮ−ＩＤ付応答電文１６のＩＤ値＝「２」を指標にして必要伝送帯域をあらかじめ確保しておき、ＶＬＡＮ−ＩＤ付要求電文１５及びＶＬＡＮ−ＩＤ付応答電文１６が、ＶＬＡＮ−ＩＤ付インターネット送信データ１７及びＶＬＡＮ−ＩＤ付インターネット受信データ１８のトラフィック量に対して僅少であっても、伝送帯域上影響を受けないようにする。
【００２２】
実施の形態１によれば、上記方法にて、ＶＬＡＮを構築し、かつＶＬＡＮのＩＤを基に帯域制御及び優先制御を行うことで、インターネット送信データ１３及びインターネット受信データ１４のトラフィック量の増大によって発生することが予想される要求電文１１及び応答電文１２の余分な遅延の発生や欠落を防ぐことが可能となり、１つのＥＰＯＮ基地局によって構成されるＥＰＯＮ方式のアクセス回線に、複数の情報収集通信端末４１、４２のみならず、複数の一般インターネットユーザの情報端末８１、８２を接続することができる。
【００２３】
なお、上記ではＶＬＡＮ−ＩＤ挿入削除部（上位イントラネット側）３０１及びＶＬＡＮ−ＩＤ挿入削除部（上位インターネット側）３０２及びＶＬＡＮ−ＩＤ挿入削除部（下位側）３０３で、ＶＬＡＮ−ＩＤを削除することを述べたが、ＶＬＡＮ−ＩＤ挿入削除部（上位イントラネット側）３０１及びＶＬＡＮ−ＩＤ挿入削除部（上位インターネット側）３０２及びＶＬＡＮ−ＩＤ挿入削除部（下位側）３０３では、ＶＬＡＮ−ＩＤの削除は行わず、イントラネット２１側及びインターネット６側及び情報収集端末４１、４２側及び情報端末８１、８２側で、ＶＬＡＮ−ＩＤの削除を行う機能を持たすようにしても同様の効果を得ることができる。
【００２４】
また、ＥＰＯＮ基地局３内にＶＬＡＮ−ＩＤ挿入削除部（下位側）３０３を設けたが、情報収集通信端末４１、４２内にＶＬＡＮ−ＩＤ挿入削除部（下位側）３０３を設けてＶＬＡＮ−ＩＤの挿入及び削除を行っても同様の効果を得ることができる。
また、この実施の形態１では、ｔａｇＶＬＡＮ機能により、情報収集通信端末との間の送受信と、情報端末との間の送受信には別の帯域を使用するように制御したが、別の方法でもよい。
【００２５】
実施の形態２．
図４は、 この発明の実施の形態２による情報収集システムの構成を示すブロック図である。
図４において、１、３、６、２１、３０１〜３０４、４１、４２、４１１〜４１３、５１、５２、７１、７２、８１、８２、各データ１１〜１８、１１１、１２１、１３１、１４１は、図１におけるものと同一のものである。図４では、図１の帯域制御処理部３０５に替えて、優先制御処理部３０６を有している。
【００２６】
実施の形態２では、優先制御処理部３０６が、情報収集通信端末４１、４２との間の送受信データと、ＥＰＯＮ端末局７１、７２との間の送受信データとを、別のキューに格納し、情報収集通信端末４１、４２との間の送受信データを優先して処理する。
優先制御処理部３０６では、ＩＤ値＝「２」を指標にして、ＶＬＡＮ−ＩＤ付要求電文１５及びＶＬＡＮ−ＩＤ付応答電文１６への優先度を、ＶＬＡＮ−ＩＤ付インターネット送信データ１７及びＶＬＡＮ−ＩＤ付インターネット受信データ１８の優先度よりも高くする。これによって、ＶＬＡＮ−ＩＤ付インターネット送信データ１７及びＶＬＡＮ−ＩＤ付インターネット受信データ１８のトラフィック量が増大したとしても、ＶＬＡＮ−ＩＤ付要求電文１５及びＶＬＡＮ−ＩＤ付応答電文１６を優先して先に処理し、遅延させることなく通信することを可能にする。
【００２７】
実施の形態２によれば、優先制御処理部３０６により、情報収集通信端末４１、４２との間の送受信データを、ＥＰＯＮ端末局７１、７２との間の送受信データより優先して処理するので、インターネット送信データ１３及びインターネット受信データ１４のトラフィック量の増大によって発生することが予想される要求電文１１及び応答電文１２の余分な遅延の発生や欠落を防ぐことが可能となり、１つのＥＰＯＮ基地局によって構成されるＥＰＯＮ方式のアクセス回線に、複数の情報収集通信端末４１、４２のみならず、複数の一般インターネットユーザの情報端末８１、８２を接続することができる。
【００２８】
実施の形態３．
図５は、この発明の実施の形態３による情報収集システムの構成を示すブロック図である。
図５において、１、６、２１、３０１〜３０５、４１２、５１、５２、８１、８２、各データ１１〜１８、１１１、１２１、１３１、１４１は、図１におけるものと同一のものである。図５では、アクセス回線として無線方式による１：Ｎのスター型ネットワーク（ＶＬＡＮアクセス回線）を用い、基地局は無線基地局３２である。この無線基地局３２は、計量メータ５１、５２が接続された情報収集通信端末４３、４４、及び情報端末８１、８２が接続された無線端末局７３、７４と、無線回線を介して通信する。このため、情報収集通信端末４３、４４は、アクセス回線側に無線端末局機能を有し、無線端末局部４３１により、無線回線終端機能を担い、メータインタフェース部４１２により計測メータ５１、５２とインタフェースし、無線対応データ処理部４３３により、無線側データフォーマットとメータ側データフォーマットの相互変換を行う。
【００２９】
実施の形態１では、アクセス回線にＥＰＯＮ方式によるスター型ネットワークを使用した場合について述べたが、実施の形態３は、図５のように、アクセス回線に、無線方式による１：Ｎのスター型ネットワークを用いるようにした。
これにより、光ファイバが布設できない場所でも、電波状況が良好であれば、アクセス回線の構築が可能であり、かつ需要家構内に設置される複数の情報収集通信端末４３、４４のみならず、一般インターネットユーザ宅に設置される複数の情報端末８１、８２を１つの無線基地局３２によって構成される同じアクセス回線に一括収容することが可能である。
【００３０】
実施の形態３の動作としては、アクセス回線がＥＰＯＮ方式か無線方式かの違い以外は、データの流れや基地局での処理など実施の形態１と同様である。
【００３１】
実施の形態３によれば、上記方法により、アクセス回線に無線を使用することによって、有線回線の引けない需要家宅にもアクセス回線インフラを構築することが可能となる。
また、情報収集通信端末４３、４４と情報端末８１、８２で、同じアクセス回線を共有することが可能となる。
【００３２】
なお、無線方式以外の１：Ｎ構成のネットワークでも同様の効果を得ることができる。
また、優先制御機能を持つ基地局に対して、無線方式または無線方式以外の１対Ｎのネットワークを構成するようにしても、同様の効果が得られる。
【図面の簡単な説明】
【００３３】
【図１】この発明の実施の形態１による情報収集システムの構成を示すブロック図である。
【図２】この発明の実施の形態１による情報収集システムで記載のＶＬＡＮ定義テーブル部の定義内容例を示す図である。
【図３】この発明の実施の形態１による情報収集システムのデータフレーム構成を示す図である。
【図４】この発明の実施の形態２による情報収集システムの構成を示すブロック図である。
【図５】この発明の実施の形態３による情報収集システムの構成を示すブロック図である。
【符号の説明】
【００３４】
１  情報収集サーバ
３  ＥＰＯＮ基地局
６  インターネット
１１  要求電文
１２  応答電文
１３  インターネット送信データ
１４  インターネット受信データ
１５  ＶＬＡＮ−ＩＤ付要求電文
１６  ＶＬＡＮ−ＩＤ付応答電文
１７  ＶＬＡＮ−ＩＤ付インターネット送信データ
１８  ＶＬＡＮ−ＩＤ付インターネット受信データ
２１  イントラネット
３２  無線基地局
４１  情報収集通信端末（ＥＰＯＮ対応）
４２  情報収集通信端末（ＥＰＯＮ対応）
４３  情報収集通信端末（無線対応）
４４  情報収集通信端末（無線対応）
５１  計量メータ
５２  計量メータ
７１  ＥＰＯＮ端末局
７２  ＥＰＯＮ端末局
７３  無線端末局
７４  無線端末局
８１  情報端末
８２  情報端末
９０  インターネット用アクセス回線
１１１  基地局経由要求電文
１２１  基地局経由応答電文
１３１  基地局経由インターネット送信データ
１４１  基地局経由インターネット受信データ
３０１  ＶＬＡＮ−ＩＤ挿入削除部（上位イントラネット側）
３０２  ＶＬＡＮ−ＩＤ挿入削除部（上位インターネット側）
３０３  ＶＬＡＮ−ＩＤ挿入削除部（下位側）
３０４  ＶＬＡＮ定義テーブル部
３０５  帯域制御処理部
３０６  優先制御処理部
４１１  ＥＰＯＮ端末局部
４１２  メータインタフェース部
４１３  ＥＰＯＮ対応データ処理部
４３１  無線端末局部
４３３  無線対応データ処理部
【図１】
2006211113.tif 000003
【図２】
2006211113.tif 000004
【図３】
2006211113.tif 000005
【図４】
2006211113.tif 000006
【図５】
2006211113.tif 000007